(57)【特許請求の範囲】
【請求項１】
隣接する天板を互いに突き合わせて連結するための連結構造であって、連結構造は、隣接する天板の天板突合せ部分の近傍で、それぞれの天板下面に跨って位置する天板連結用支持部材と、天板連結用支持部材の左右端部に対向して位置し、左右の天板と天板連結用支持部材を連結する一対の左右の引き寄せ部材と、左右の引き寄せ部材と天板連結用支持部材を連結する左右の連結ネジよりなり、左右の天板と、天板連結用支持部材と、左右の引き寄せ部材が左右の連結ネジにより連結された状態で、左右の引き寄せ部材間の寸法が、中間脚の天板支持杆の左右幅の寸法より、所定寸法大きくなるよう構成されていること特徴とする天板の連結構造。
【請求項２】
引き寄せ部材は天板下面に設けられた係止孔に係止し、天板突合せ部分の方向に突出する上部係止突部と、上部係止突部の下方で、連結ネジが挿通する連結孔と、連結孔の下方で、天板連結用支持部材の一部に当接する当接部を有し、上部係止突部は、連結ネジが天板連結用支持部材に螺合すると、天板を天板突合せ部分方向に移動させるとともに、天板連結用支持部材とで天板下面を挟持することを特徴とする請求項1に記載の天板の連結構造。
【請求項３】
天板連結用支持部材は、左右の引き寄せ部材が連結する左右垂直部と、左右垂直部の上部間をつなぐ水平部とを備え、天板支持杆に上方から載置可能な寸法で、下向きコ字形に形成されていることを特徴とする請求項１、又は、請求項２に記載の天板の連結構造。
【発明の詳細な説明】
【技術分野】
【０００１】
本発明は、互いに隣接して配置されるテーブルや机等の天板同士を連結する天板の連結構造に関するものである。
【背景技術】
【０００２】
左右に隣接する天板の側端部同士を連結する天板の連結構造において、前記両天板の対向端部を脚柱の上端の前後方向を向く天板支持杆に載置し、前記左右の天版の対向端部の下面に設けた垂下部における両天板の対向面と反対側の外側面、前記天板支持杆の両側方に配置した左右１対の連結部材の上端部を当接させ、両連結部材同士を、天板支持杆を貫通する連結ネジをもって、前記天板支持杆の両側面に向かって互いに接近する方向に引き付けることにより、前記両天板同士を、互いに引き付けて連結するとともに、この連結位置を左右に調整可能として前記天板支持杆にも連結するようにしたものが提供されている。（例えば、特許文献１参照。）
【０００３】
上記構成によると、天板の連結に天板支持杆が必ず必要となる。したがって、中間脚の天板支持杆がないところで天板を連結できない。両連結部材同士を、天板支持杆を貫通する連結ネジをもって連結しているため、左右連結部材を連結当初に天板に対し取り付ける作業、天板に取り付けた左右連結部材を支持しながら、連結ネジを両連結部材、天板支持杆に貫通させる作業を、天板下面にかがみこんだ姿勢でしなければならず、非常に煩雑であった。
【０００４】
さらに、天板連結後、テーブルの左右脚の各端面と天板の左右各端面とを左右均一に      なるよう、天板の連結位置を左右に調整する時に、天板は、中間脚の天板支持杆に載置連結されているため、連結ネジをその都度緩め、左右連結部材と、天板および天板支持杆との連結姿勢を変える必要があり、その作業が煩雑であった。
又、左右に天板を連結して、必要な大きさの天板を構成する仕様（以下、分割天板仕様という。）に使われる天板支持杆と、長尺の天板を使用する構成（以下、長尺天板仕様という。）としたとき、その天板強度を維持するため、天板の左右端部間下面を支持する天板支持杆を共通仕様とすると、長尺天板仕様の場合は、天板支持杆に設けられた連結ネジが貫通する孔を塞ぐ部品が必要となり、コストアップにつながる。
一方、分割天板仕様に使われる天板支持杆と、長尺天板仕様に使われる天板支持杆を別仕様とすると、部材点数が増加し、部材管理が煩雑となる問題があった。
【先行技術文献】
【特許文献】
【０００５】
【特許文献１】特許第４８６５５０１号公報
【発明の概要】
【発明が解決しようとする課題】
【０００６】
本願発明は、このような問題に鑑み、簡単な構成で、各部材の保管、管理も容易で、連結作業も、左右方向の調整も簡単な天板の連結構造を提供することを課題とするものである。
【課題を解決するための手段】
【０００７】
そこで、上記課題を解決する為、本発明が第１の手段として構成したところは、隣接する天板を互いに突き合わせて連結するための連結構造であって、連結構造は、隣接する天板の天板突合せ部分の近傍で、それぞれの天板下面に跨って位置する天板連結用支持部材と、天板連結用支持部材の左右端部に対向して位置し、左右の天板と天板連結用支持部材を連結する一対の左右の引き寄せ部材と、左右の引き寄せ部材と天板連結用支持部材を連結する左右の連結ネジよりなり、左右の天板と、天板連結用支持部材と、左右の引き寄せ部材が左右の連結ネジにより連結された状態で、左右の引き寄せ部材間の寸法が、中間脚の天板支持杆の左右幅の寸法より、所定寸法大きくなるよう構成されているものである。  
【０００８】
次に上記課題を解決する為、本発明が第２の手段として構成したところは、第１の手段による構成に加え、引き寄せ部材は天板下面に設けられた係止孔に係止し、天板突合せ部分方向に突出する上部係止突部と、上部係止突部の下方で、連結ネジが挿通する連結孔と、連結孔の下方で、天板連結用支持部材の一部に当接する当接部を有し、上部係止突部は、連結ネジが天板連結用支持部材に螺合すると、天板を天板突合せ部分方向に移動させるとともに、天板連結用支持部材とで天板下面を挟持するものである。
【０００９】
次に上記課題を解決する為、本発明が第３の手段として構成したところは、第１の手段による構成、又は第２の手段による構成に加え、天板連結用支持部材は、左右の引き寄せ部材が連結する左右垂直部と、左右垂直部の上部間をつなぐ水平部とを備え、天板支持杆に上方から載置可能な寸法で、下向きコ字形に形成されているものである。
【発明の効果】
【００１０】
第１の手段として構成したところによると、連結構造は、天板連結用支持部材と、一対の左右の引き寄せ部材と、左右の連結ネジよりよりなる構成であるから、連結された天板全体の幅寸法によっては、左右の天板突合せ部分に中間脚（天板支持杆）を必要とせず、全体として安価に製作できると共に、長尺天板仕様に使用される同一の中間脚（天板支持杆）を、分割天板仕様にも、使用できるので、部材点数を削減でき、管理が容易である。
又、連結ネジは、左右それぞれ別個に構成されているので、左右の天板は、それぞれ別々に連結できるので、連結作業が非常に容易である。
【００１１】
さらに、左右の天板と、天板連結用支持部材と、左右の引き寄せ部材が左右の連結ネジにより連結された状態で、左右引き寄せ部材間の寸法が、中間脚の天板支持杆の左右幅の寸法より、所定寸法大きくなるよう構成されているので、左右に天板を連結した後、テーブル全体の左右脚の各端面と天板全体の左右各端面とを左右均一になるよう、天板の連結位置を左右に調節する場合、左右の天板同士の連結と、天板と天板支持杆の連結は個別に行われるので、天板と天板支持杆の連結を行う前に、天板全体を左右にスライドさせて左右均一になるように調節した後、天板と天板支持脚の連結を行うことにより簡単に作業を行うことができる。
【００１２】
本発明が第２の手段として構成したところによると、第１の手段として構成したところによる効果に加え、引き寄せ部材は、上部係止突部の下方に連結ネジが挿通する連結孔を設け、連結孔の下方で、天板連結用支持部材の一部に当接する当接部を構成しているので、
引き寄せ部材と天板連結用支持部材を連結ネジで連結すると、当接部の上方と天板連結用支持部材間に当接部の高さに相当する間隙が生じるので、引き寄せ部材を天板連結用支持部材側に引き寄せると、当接部が支点となって上部係止突部が、天板突合せ部分の方向に回動するので、天板下面は天板連結用支持部材と上部係止突部間で挟持され、左右の天板同士と天板連結用支持部材は強固に連結される。
【００１３】
本発明が、第３の手段として構成したところによると、第１の手段として構成したところによる効果、及び、第２の手段として構成したところによる効果に加え、天板連結用支持部材は、左右の引き寄せ部材が連結する左右垂直部と、左右垂直部の上部間をつなぐ水平部とを備え、天板支持杆に上方から載置可能な寸法で、下向きコ字形に形成されているものであるから、天板支持杆に天板連結用支持部材が被った状態で、天板と天板支持杆が連結されるので、高さ方向の寸法を小さくおさえることが可能で、天板下方を広く使用できるとともに、デザイン的にも優れてものを提供できる。
【図面の簡単な説明】
【００１４】
【図１】本発明の要部断面図。
【図２】図１のＡ―Ａ線断面図。
【図３】図１のＢ―Ｂ線断面図。
【図４】図１の要部拡大図。
【図５】図３の要部拡大図。
【図６】天板と天板支持杆の連結状態を示す要部断面図。
【発明を実施するための形態】
【００１５】
本発明は、隣接する天板を互いに突き合わせて連結するための連結構造であって、連結構造は、隣接する天板の天板突合せ部分の近傍で、それぞれの天板下面に跨って位置する天板連結用支持部材と、天板連結用支持部材の左右端部に対向して位置し、左右の天板と天板連結用部材を連結する一対の左右の引き寄せ部材と、左右の引き寄せ部材と天板連結用支持部材を連結する左右の連結ネジよりなり、左右の天板と、天板連結用支持部材と、左右の引き寄せ部材が左右の連結ネジにより連結された状態で、左右引き寄せ部材間の寸法が、中間脚の天板支持杆の左右幅の寸法より、所定寸法大きくなるよう構成され、引き寄せ部材は天板下面に設けられた係止孔に係止し、天板突合せ部分方向に突出する上部係止突部と、上部係止突部の下方で、連結ネジが挿通する連結孔と、連結孔の下方で、天板連結用支持部材の一部に当接する当接部を有し、上部係止突部は、連結ネジが天板連結用支持部材に螺合すると、天板を天板突合せ部分方向に移動させるとともに、天板下面を天板連結用支持部材とで挟持し、天板連結用支持部材は、左右の引き寄せ部材が連結する左右垂直部と、左右垂直部の上部間をつなぐ水平部を備え、天板支持杆に上方から載置可能な寸法で、下向きコ字形に形成されているものである。
【実施例１】
【００１６】
第１実施例を、添付図面に基づいて詳述する。
図１において、符号１、１はテーブルの左右の天板を示し、符号２は左右の天板１、１の天板突き合わせ部１０の近傍で、それぞれの天板１、１下面に跨って位置する天板連結用支持部材を示し、符号３、３は、天板連結用支持部材２の左右端部に対向して位置し、左右の天板１、１と天板連結用支持部材２を連結する左右で一対の引き寄せ部材を示し、符号５、５は、左右の引き寄せ部材３、３と天板連結用支持部材２を連結する左右の連結ネジを示している。
【００１７】
左右の天板１、１は同形に構成されているので一方側についてのみ説明する。
天板１は、左右端部が逆Ｌ字形に折り曲げられた左右縁と、前後端部が下方に折り曲げられた前後縁を有する下面が開口する基板１１と、基板１１の幅方向のほぼ全幅で、前後端部内面に固着された前補強部材１２、中間補強材１３、後補強部材（図示せず。）より構成され、基板１１の上面には表面板１１１が貼り付けられ、基板１１左右縁の側面には側面板１１２、１１２が貼り付けられ、基板１１の前後縁の前後面には前後面板１１３、１１３貼り付けられており、左右の天板１、１の左右の側面板１１２、１１２が当接して天板突き合わせ部１０を形成する。
【００１８】
そして、天板１の前補強材１２、後補強材（図示せず。）の左右端部側で、天板連結用支持部材２の幅方向の中央部を天板突合せ部１０の下面に位置させた状態で、天板連結用支持部材２の左右端部よりやや外側（天板突合せ部１０の反対方向）に位置する箇所に、前記引き寄せ部材３、３が係止する係止孔１００、１００が形成されている。
すなわち、係止孔１００の天板突き合わせ部１０側の端面は、天板連結用支持部材２の左右端部よりやや外側（天板突合せ部１０の反対方向）に位置することとなる。
【００１９】
又、左右に連結された複数枚の天板１・・・の連結部分の強度を維持するため、複数の天板突合せ部１０・・・うち、必要な箇所に中間脚６０を配置する場合を考慮して、中間脚６０の上端に設けられた、天板１の前端方向に突出する天板支持杆６と天板１を連結するため、前補強材１２の係止孔１００の所定寸法後方側（後補強材の場合は所定寸法前方側）に天板連結孔１０１・・・が形成されている。
【００２０】
天板連結用支持部材２は、左右の連結ネジ５、５が螺合する連結用螺孔２１、２１を有する左右垂直部２２、２２と、左右垂直部２２、２２の上部間をつなぐ水平部２３とを備え、天板支持杆６に上方から載置可能な幅寸法で、下向きコ字形に形成されている。
【００２１】
左右の引き寄せ部材３、３は対向した同形に構成されているので一方側についてのみ説明する。
引き寄せ部材３は、天板１の下面に設けられた前記係止孔１００の天板突合せ部１０側の端面に係止し、天板突合せ部１０方向に突出する、係止孔１００より前後方向にやや小さめの上部係止突部３１と、上部係止部３１の下方に連設され、上部係止部３１より前後と天板突合せ部１０の反対方向に大きめに形成された支持部材連結部３２より構成されている。
【００２２】
そして、支持部材連結部３２は、中央分に連結ネジ５の頭部５１が嵌合する嵌合凹部３３と、嵌合凹部３３に連設され、天板突合せ部１０の方向に貫通し、連結ネジ５の螺合軸部５２が挿通する挿通孔３４よりなる連結孔３０と、連結孔３０の天板突合せ部１０側に連設された、前記天板連結用支持部材２の左右垂直部２２、２２の一方が嵌入する嵌入嵌凹部３５を有し、嵌入凹部３５の下端部には、左右垂直部２２、２２の一方の外面が当接するよう、天板突合せ部１０方向に突出する当接部３６が形成されている。
【００２３】
一方、複数の天板突合せ部１０・・・うち、天板全体の強度アップを図るため、必要な箇所に配置される中間脚６０の上端に設けられる天板支持杆６は、図４に示すように、左右側壁６１、６１と、左右側壁６１、６１の下端間に連設された下壁６２より断面上向きコ字形に形成された天板支持主杆６３と、上部に所定の隙間を残して、天板支持主杆６３の内面に固着された下向き略コ字形の天板支持補強杆６４より構成されている。
【００２４】
すなわち、天板支持杆６の幅の寸法は、左右の天板１、１が連結された状態での左右引き寄せ部材３、３の内側間の寸法より所定寸法小さく形成され、左右の天板１、１が連結姿勢を維持した状態で、天板支持杆６３上を左右方向で所定寸法移動可能に構成されている。
【００２５】
そして、天板支持主杆６３の上端の所定位置（前後方向に所定間隔を有して２箇所で、前記天板連結孔１０１・・・に対応する箇所））に、天板突合せ部１０を跨いで左右方向に突出する天板連結部７１、７１を有する天板連結金具７、７が、天板支持主杆６３の上端面とほぼ面一となるよう上部の所定の間隙を利用して固着され、天板連結部７１、７１には、
上記したように、左右の天板１、１が連結姿勢を維持した状態で、天板支持杆６３上を左右方向で所定寸法移動可能としたことに対応して、左右方向に長孔とした天板連結用長孔７１１、７１１が形成されている。
また、天板連結金具７、７が位置する箇所の前後に、左右の天板１、１同士を連結している天板連結用支持部材２の水平部２３が当接しないよう、逃がし用きり欠き６３１・・・が形成されている。
符号６００は、天板連結金具７と天板１を連結するための支持杆連結ネジを示している。
【００２６】
第１実施例は上記の如く構成され、中間脚が位置しない箇所で、左右の天板１、１を連結するときは、一方の天板１の前補強材１２下面に、天板連結用支持部材２を当接し、この状態を維持しながら一方の引き寄せ部材３の上部係止部３１を係止孔１０に係止し、支持部材連結部３２の連結孔３０に連結ネジ５を挿通し、引き寄せ部材３の当接部３６が天板支持用部材２の垂直部２２に当接するまで、連結ネジ５を螺合し、天板連結用支持部材２と天板１を連結する。同様にして後補強材（図示せず。）の下面で引き寄せ部３と天板連結用支持部材２を連結する。
上記の状態で、天板１の側端部には、天板連結用支持部材２、２の他方側が前後で突出し、他方の天板１の載置部分を形成することとなる。
【００２７】
次に他方の天板１の一方側の端部を、前記天板１から突出する天板連結用支持部材２、２の一部に載置する。（この場合、天板全体の幅寸法が大きくなるので、所定位置に中間脚６０がもうけられており、天板１の一方側の端部はこの中間脚６０の天板支持杆６に載置、支持される事となる。）
次ぎに、引き寄せ部材３の上部係止部３１を係止孔１０に係止し、支持部材連結部３２の連結孔３０に連結ネジ５を挿通し、引き寄せ部材３の当接部３６が天板支持用部材２の垂直部２２に当接するまで、連結ネジ５を螺合し、天板連結用支持部材２と天板１を連結する。同様にして後補強材（図示せず。）の下面で引き寄せ部３と天板連結用支持部材２を連結する。
【００２８】
そして、左右の天板１、１と、天板連結用支持部材３の位置関係を考慮しながら、左右の引き寄せ部材３、３の連結ネジ５、５をさらに螺合していくと、上部係止突部３１の下方に連結ネジ５が挿通する連結孔３０を設け、連結孔３０の下方で、天板連結用支持部材２の垂直部２２の下端部に当接する当接部３６を構成しているので、引き寄せ部材３と天板連結用支持部材２を連結ネジ５で連結すると、当接部３６の上方で、嵌入嵌凹部３５の底部３５０と直部２２間に、当接部３６の高さに相当する間隙３７が生じるので、引き寄せ部材３を天板連結用支持部材２側に引き寄せると、当接部３６が支点となって、上部係止突部６１が、天板突合せ部１０の方向に回動するので、上部係止突部６１の係止孔１００側下面が係止孔１００の天板突合せ部１０側端面にさらに圧接し、上部係止突部６１の天板突合わせ部１０側端部下端が、前補強材１２の下面にさらに圧接し、左右の天板１、１同士と天板連結用支持部材２は強固に連結される。
【００２９】
次に、中間脚６０のある箇所で、天板支持杆６上に載置した状態で上記の如く連結された天板１、１と天板支持杆６を連結する場合は、左右の天板１、１に設けられた天板連結孔１０１・・・と天板連結金具７、７の天板連結部７１、７１に形成された天板連結用長孔７１１、を縦横下方向で一致させ、下方から支持杆連結ネジ６００・・・を天板連結用長孔７１１・・・を挿通して天板連結孔１０１・・・に螺合し仮連結する。この作業を繰り返して必要な大きさのテーブルの天板を得る。
【００３０】
次ぎに連結された天板１・・・の左右端部とテーブルの左右端部脚の各端面が、左右均一に、天板全体を左右に調整した後、天板支持杆６（天板連結部７１）・・・と天板１・・・を支持杆連結ネジ６００・・・で強固に連結する。
この時、図２に示すように、天板支持杆６の前端部は天板１の前端部より奥まって位置しているので、中間脚６０の天板支持杆６の左右方向中央部に天板１、１の天板突合せ部１０が位置しなくとも何ら違和感はない。
すなわち、左右引き寄せ部材３，３間の寸法が、中間脚６０の天板支持杆６の左右幅の寸法より、所定寸法大きくなるよう構成されているので、天板１・・・が連結された状態で所定寸法左右方向に天板支持杆６上を移動できる。
【産業上の利用可能性】
【００３１】
以上のように、本発明は、簡単な構成で、互いに隣接して配置されるテーブルや机、カウンタ等の天板同士を連結する天板の連結構造として広く利用することができる。
【符号の説明】
【００３２】
１                天板
１０              天板突合せ部
１００            係止孔
２                天板連結用支持部材
２１              連結用螺孔
２２、２２        左右垂直部
２３              水平部
３                引き寄せ部材
３０              連結孔
３１              上部係止突部
３６              当接部
５                連結ネジ
６                天板支持杆
７                天板連結金具
【図１】
0005970236.tif 000002
【図２】
0005970236.tif 000003
【図３】
0005970236.tif 000004
【図４】
0005970236.tif 000005
【図５】
0005970236.tif 000006
【図６】
0005970236.tif 000007